(57)【要約】【課題】直流電力ケーブルの絶縁被覆を継続的に監視し、その劣化を容易かつ確実に検出することが可能な直流電力ケーブル異常検出装置を提供することにある。また、直流電力ケーブルの異常を管理者に知らせることが可能であり、管理者が直ちに直流電力ケーブルの地絡防止措置を施すことができる直流電力ケーブル異常検出装置を提供することにある。【解決手段】電線２と、電線２を被覆する絶縁被覆３と、この絶縁被覆３の周囲に配置された導体部４とを備えた直流電力ケーブル１の異常を検出する直流電力ケーブル異常検出装置である。導体部４と接地との間に接続された抵抗部１２と、抵抗部１２に生じる電圧を検出する電圧検出器１３と、電圧検出器１３の出力電圧が予め設定された設定レベル以上である場合に異常信号を出力する信号出力部１６とを具備する。【選択図】図１
2006256348.tif 000002
【特許請求の範囲】
【請求項１】
電線（２）と、電線（２）を被覆する絶縁被覆（３）と、この絶縁被覆（３）の周囲に配置された導体部（４）とを備えた直流電力ケーブル（１）の異常を検出する直流電力ケーブル異常検出装置であって、上記導体部（４）と接地との間に接続された抵抗部（１２）と、この抵抗部（１２）に生じる電圧を検出する電圧検出器（１３）と、この電圧検出器（１３）の出力電圧が予め設定された設定レベル以上である場合に異常信号を出力する信号出力部（１６）とを具備することを特徴とする直流電力ケーブル異常検出装置。
【請求項２】
電線（２）と、電線（２）を被覆する絶縁被覆（３）と、この絶縁被覆（３）の周囲に配置された導体部（４）とを備えた直流電力ケーブル（１）の異常を検出する直流電力ケーブル異常検出装置であって、上記導体部（４）と接地との間に接続されたコンデンサ部（１７）と、このコンデンサ部（１７）に生じる電圧を検出する電圧検出器（１３）と、この電圧検出器（１３）の出力電圧が予め設定された設定レベル以上である場合に異常信号を出力する信号出力部（１６）とを具備することを特徴とする直流電力ケーブル異常検出装置。
【請求項３】
電線（２）と、電線（２）を被覆する絶縁被覆（３）と、この絶縁被覆（３）の周囲に配置された導体部（４）とを備えた直流電力ケーブル（１）の異常を検出する直流電力ケーブル異常検出装置であって、上記導体部（４）と接地との間に接続された抵抗部（１８）と、この抵抗部（１８）に流れる接地電流を検出する電流検出器（１９）と、この電流検出器（１９）の出力が予め設定された設定レベル以上である場合に異常信号を出力する信号出力部（１６）とを具備することを特徴とする直流電力ケーブル異常検出装置。
【請求項４】
上記設定レベルを複数設定したことを特徴とする請求項１〜請求項３のいずれかの直流電力ケーブル異常検出装置。
【請求項５】
上記信号出力部（１６）の出力信号が供給され、上記直流電力ケーブル（１）の異常を外部に知らせる警報手段（７）を設けたことを特徴とする請求項１〜請求項４のいずれかの直流電力ケーブル異常検出装置。
【請求項６】
上記信号出力部（１６）の出力信号が供給され、上記直流電力ケーブル（１）への電力供給の遮断を指示する信号を出力する遮断指示手段（８）を設けたことを特徴とする請求項１〜請求項５のいずれかの直流電力ケーブル異常検出装置。
【請求項７】
上記信号出力部（１６）の出力情報を、通信手段（１０）により管理場所等に設置された端末器（１１）に送信するように構成したことを特徴とする請求項１〜請求項６のいずれかの直流電力ケーブル異常検出装置。
【発明の詳細な説明】
【技術分野】
【０００１】
この発明は、直流電力が供給される電力ケーブルの劣化を検出する直流電力ケーブル異常検出装置に関するものである。
【背景技術】
【０００２】
鉄道車両に直流電力を供給する直流き電線において、駅構内、トンネル内、陸橋の下、地中等では、き電線を裸線のまま架設することができず、そのためき電線を絶縁被覆したき電ケーブル（直流電力ケーブル）が配設されている場合がある。
【０００３】
上記直流電力ケーブルは、設置状況によっては経年的に絶縁被覆に劣化が進行し、絶縁被覆が劣化して高抵抗地絡が発生する可能性がある。ここで、高抵抗地絡とは、接地抵抗が大きい地絡のことであり、流れる電流が負荷電流程度であるため、変電所の保護装置等では検知できない。このため、絶縁被覆の劣化は検知（検出）されないままさらに進行し、絶縁破壊を起して地絡が発生する。地絡が発生すると、鉄道車両の運行停止を招くと共に、き電ケーブルの焼損や近接する他のケーブルの焼損、電気設備の損傷、他への波及が大きく重大故障につながり、復旧に多大な労力とコストを要する。従って、直流電力ケーブルの地絡を防止するために、絶縁被覆の点検が必要であり、従来は、巡回等による直流電力ケーブルの目視点検がなされてきた。
【発明の開示】
【発明が解決しようとする課題】
【０００４】
ところで、上記従来の目視による直流電力ケーブルの点検では、絶縁被覆の劣化状態が十分把握できないという問題があった。また、巡回による定期的、又は不定期的な点検では、直流電力ケーブルを常には監視することができず、絶縁被覆の劣化に対する即時の対応処置が取れないことや点検のための人員の確保等、種々の問題があった。
【０００５】
この発明は、上記従来の問題点を解決するためになされたもので、その目的は、直流電力ケーブルの絶縁被覆を継続的に監視し、その劣化を容易かつ確実に検出することが可能な直流電力ケーブル異常検出装置を提供することにある。また、直流電力ケーブルの異常を管理者に知らせることが可能であり、管理者が直ちにそのケーブルの地絡防止措置を施すことができる直流電力ケーブル異常検出装置を提供することもこの発明の目的である。
【課題を解決するための手段】
【０００６】
そこで、請求項１の直流電力ケーブル異常検出装置は、電線２と、電線２を被覆する絶縁被覆３と、この絶縁被覆３の周囲に配置された導体部４とを備えた直流電力ケーブル１の異常を検出する直流電力ケーブル異常検出装置であって、上記導体部４と接地との間に接続された抵抗部１２と、この抵抗部１２に生じる電圧を検出する電圧検出器１３と、この電圧検出器１３の出力電圧が予め設定された設定レベル以上である場合に異常信号を出力する信号出力部１６とを具備することを特徴としている。
【０００７】
請求項２の直流電力ケーブル異常検出装置は、電線２と、電線２を被覆する絶縁被覆３と、この絶縁被覆３の周囲に配置された導体部４とを備えた直流電力ケーブル１の異常を検出する直流電力ケーブル異常検出装置であって、上記導体部４と接地との間に接続されたコンデンサ部１７と、このコンデンサ部１７に生じる電圧を検出する電圧検出器１３と、この電圧検出器１３の出力電圧が予め設定された設定レベル以上である場合に異常信号を出力する信号出力部１６とを具備することを特徴としている。
【０００８】
請求項３の直流電力ケーブル異常検出装置は、電線２と、電線２を被覆する絶縁被覆３と、この絶縁被覆３の周囲に配置された導体部４とを備えた直流電力ケーブル１の異常を検出する直流電力ケーブル異常検出装置であって、上記導体部４と接地との間に接続された抵抗部１８と、この抵抗部１８に流れる接地電流を検出する電流検出器１９と、この電流検出器１９の出力が予め設定された設定レベル以上である場合に異常信号を出力する信号出力部１６とを具備することを特徴としている。
【０００９】
請求項４の直流電力ケーブル異常検出装置は、上記設定レベルを複数設定したことを特徴としている。
【００１０】
請求項５の直流電力ケーブル異常検出装置は、上記直流電力ケーブル１の異常を外部に知らせる警報手段７を設けたことを特徴としている。
【００１１】
請求項６の直流電力ケーブル異常検出装置は、上記信号出力部１６の出力信号が供給され、上記直流電力ケーブル１への電力供給の遮断を指示する信号を出力する遮断指示手段８を設けたことを特徴としている。
【００１２】
請求項７の直流電力ケーブル異常検出装置では、上記信号出力部１６の出力情報を、通信手段１０により管理場所等に設置された端末器１１に送信するように構成したことを特徴としている。
【発明の効果】
【００１３】
請求項１の直流電力ケーブル異常検出装置によれば、直流電力ケーブルの絶縁被覆に劣化が生じた場合、導体部及び抵抗部を通って故障電流がアースに流れる。そして、この抵抗部に生じる電圧が電圧検出器によって検出され、この検出された電圧が予め設定された設定レベル以上であれば、信号出力部から異常信号が出力される。このため、信号出力部から異常信号が出力されれば、抵抗部に生じる電圧が設定レベルに達しており、絶縁被覆に劣化が生じているかまたは劣化が生じようとしていることが分る。すなわち、巡廻による点検を行うことなく、直流電力ケーブルを常時監視することができ、直流電力ケーブルの劣化または劣化の予兆を知ることができる。このため、その後の対応処置を的確に行うことができ、鉄道車両の安定した走行を可能とする。また、抵抗部によって、静電シールドである導体部に流れる故障電流が抑制され、これによっても直流電力ケーブルの焼損を防止することができる。
【００１４】
請求項２の直流電力ケーブル異常検出装置によれば、直流電力ケーブルの絶縁被覆に劣化が生じた場合、導体部及びコンデンサ部を通って故障電流がアースに流れる。そして、このコンデンサ部に生じる電圧が電圧検出器によって検出され、この検出された電圧が予め設定された設定レベル以上であれば、信号出力部から異常信号が出力される。このため、信号出力部から異常信号が出力されれば、コンデンサ部に生じる電圧が設定レベルに達しており、絶縁被覆に劣化が生じているかまたは劣化が生じようとしていることが分る。すなわち、上記請求項１の直流電力ケーブル異常検出装置と同様、巡廻による点検を行うことなく、直流電力ケーブルを常時監視することができ、直流電力ケーブルの劣化または劣化の予兆を知ることができる。
【００１５】
請求項３の直流電力ケーブル異常検出装置によれば、直流電力ケーブルの絶縁被覆に劣化が生じた場合、導体部及び抵抗部を通って故障電流がアースに流れる。そして、この抵抗部に流れる電流が電流検出器によって検出され、この検出された電流が予め設定された設定レベル以上であれば、信号出力部から異常信号が出力される。このため、信号出力部から異常信号が出力されれば、抵抗部に流れる電流が設定レベルに達しており、絶縁被覆に劣化が生じているかまたは劣化が生じようとしていることが分る。すなわち、上記請求項１及び請求項２の直流電力ケーブル異常検出装置と同様、巡廻による点検を行うことなく、直流電力ケーブルを常時監視することができ、直流電力ケーブルの劣化または劣化の予兆を知ることができる。
【００１６】
請求項４の直流電力ケーブル異常検出装置によれば、第１の設定電圧レベルを低レベルに設定することによって、劣化の進行が進んでいない状態において、このままの状態を継続すれば劣化が進行して絶縁破壊を招くおそれがあることを検知することができる。このため、直流電力ケーブルの絶縁劣化の予兆を早期に検知して、地絡事故を未然に阻止することができる。また、第２の設定電圧レベルを高レベルに設定することによって、静電シールドである導体部の急激な電位上昇を検知することができる。すなわち、静電シールドの急激な電位上昇を検知して、ケーブルへの電力供給を停止し、ケーブルの焼損や設備の損傷等の復旧に多大な労力とコストがかかる重大な故障を防止することができる。
【００１７】
請求項５の直流電力ケーブル異常検出装置によれば、警報手段にて、直流電力ケーブルの異常を外部に知らせることができるので、この直流電力ケーブルの管理者等はその異常を直ちに知ることができる。これにより、すみやかに対応処置をとることができ、ケーブルの焼損や電気設備の損傷、他の波及事故を防ぎ、鉄道車両の運行停止を防ぐことができる。
【００１８】
請求項６の直流電力ケーブル異常検出装置によれば、遮断指示手段にて、直流電力ケーブルへの電力供給の遮断を指示する信号を出力するので、異常時には、直流電力ケーブルへの電力供給が直ちに遮断され、絶縁被覆の劣化の進行を防止でき、絶縁被覆の破壊を回避することができる。
【００１９】
請求項７の直流電力ケーブル異常検出装置によれば、信号出力部の出力情報を、通信回線により管理場所等に設置された端末器に送信することができるので、使用する端末器等によってどの場所または区間の直流電力ケーブルに異常があるかを知ることができる。これにより、すみやかに対応処置（ケーブルの交換等）をとることができ、直流電力ケーブルの地絡事故等を阻止して、鉄道車両を安定して走行させることができる。
【発明を実施するための最良の形態】
【００２０】
次に、この発明の直流電力ケーブル異常検出装置の具体的な実施の形態について、図面を参照して詳細に説明する。図１は直流電力ケーブル異常検出装置の全体構成図を示している。直流電力ケーブル１は、電線（き電線）２と、電線２を被覆する絶縁被覆（第１絶縁被覆）３と、絶縁被覆３の周囲に配設される導体部（静電シールド）４と、導体部４を被覆する絶縁被覆（第２絶縁被覆）５とを備える。直流電力ケーブル１は、例えば、駅構内、トンネル内、陸橋の下、あるいは地中等に配設される。また、導体部４は、例えば銅テープを絶縁被覆３に巻設することによって形成される遮蔽層にて構成できる。なお、この直流電力ケーブル１には、直流変電所よりき電用の直流電圧１５００Ｖが印加される。
【００２１】
そして、直流電力ケーブル異常検出装置は、直流電力ケーブル１の異常を検出する異常検出手段６と、異常検出手段６にて異常が検出された際に警報等を発する警報手段７と、直流電力ケーブル１への電力供給を遮断する遮断指示手段８と、直流電力ケーブル１の異常部位を検出する監視手段９と、異常である旨を管理者等に知らせる通信手段１０等を備える。
【００２２】
異常検出手段６は、図２に示すように、第１抵抗Ｒ１と第２抵抗Ｒ２からなる抵抗部１２と、抵抗部１２に生じる電圧を検出する電圧検出器１３と、直流電力ケーブル１が正常か異常かの判定を行う判別回路１４と、上記警報手段７等に信号を出力する出力回路１５とを備える。この場合、判別回路１４と出力回路１５とで信号出力部１６を構成する。そして、抵抗部１２の第１抵抗Ｒ１と第２抵抗Ｒ２とは直列に接続され、抵抗部１２の一端（第１抵抗Ｒ１の一端）が導体部４に接続され、抵抗部１２の他端（第２抵抗Ｒ２の他端）が接地されている。この抵抗部１２の抵抗値は、絶縁被覆３の抵抗値（例えば１０００ＭΩ）に対して極めて小（例えば１０ｋΩから１００ｋΩ）とされる。
【００２３】
そして、直流電力ケーブル１の絶縁被覆３に劣化が生じた場合、静電シールド４及び抵抗部１２をとおして故障電流がアースに流れる。この際、静電シールド４に加わる電圧は、第１抵抗Ｒ１、第２抵抗Ｒ２で分圧され、電圧検出器１３は第２抵抗Ｒ２の両端に生じる電圧を検出する。また、判別回路１４は、予め設定された電圧レベル（設定電圧レベル）と電圧検出器１３にて検出された電圧とを比較して、この検出した電圧が設定電圧レベル以上となったときに、異常であると判断（判別）して異常信号を出力回路１５に出力する。出力回路１５からの出力信号は上記警報手段７に出力される。この警報手段７としては、出力信号が入力した際に、警報音を鳴らしたり、異常である旨を表示部にて表示したりすることができる。これによって、管理場所等にいる管理者に異常であることを知らせることができる。
【００２４】
ところで、上記判別回路１４における設定電圧レベルとして複数のレベルを設定することができる。例えば、劣化の進行がそれほど進んでいない状態において、このままの状態を継続すれば劣化が進行して絶縁破壊を招くおそれがある低レベルに、第１の設定電圧レベルを設定し、静電シールド４の急激な電位上昇を検知するような高レベルに、第２の設定電圧レベルを設定する。この場合、低レベルでは警報を発信し、高レベルでは遮断指示手段８から図示省略のき電用遮断器を開放する信号を出力し、直流電力ケーブル１への電力供給を遮断するようにすることにより、劣化を２段階で検知し確実に故障や事故を防ぐことができる。なお、この実施の形態では、図１に示すように、遮断指示手段８は、警報手段７を介して異常検出手段６からの信号が入力されることになっているが、警報手段７を介さずに、異常検出手段６から直接的に信号が入力されるものであってもよい。
【００２５】
ところで、直流電力ケーブル１及び異常検出手段６は複数箇所に配置されており、各異常検出手段６には監視手段９が接続されている。ここで、監視手段９とは、異常検出手段６からの出力情報を受け、どこの場所の直流電力ケーブル１に異常があるかを識別するものであり、直流電力ケーブル１の異常及び設置場所の情報を出力する。この出力情報（例えば、メッセージ情報）は通信手段（通信回線）１０を介して、管理場所等に設置された端末器１１に送信される。通信手段（通信回線）１０は、インターネット、携帯電話網、専用回線等を利用でき、有線、無線を問わず種々のものを利用することができる。また、端末器１１としては、パソコン（パーソナル・コンピュータ）、携帯電話、この装置専用の受信装置等の種々のものを利用することができる。このように、監視手段９からは種々の複数の送信先に情報を送ることができる。
【００２６】
上記直流電力ケーブル異常検出装置では、直流電力ケーブル１の絶縁被覆３に劣化が生じて、静電シールド４及び抵抗部１２をとおして故障電流がアースに流れた場合において、電圧検出器１３にて検出された第２抵抗Ｒ２の両端に生じる電圧と、判別回路１４にて設定されている設定電圧レベルとが比較され、第２抵抗Ｒ２の両端に生じる電圧が、判別回路１４にて設定されている設定電圧レベル以上となったときに、異常であると判断して異常信号を警報手段７や監視手段９に出力する。そして、警報手段７が異常信号を受けると、管理場所等にいる管理者に異常が発生していることを知らせることができる。また、監視手段９が異常信号を受けると、通信回路１０を介して、管理場所等に配置された端末器１１に、異常が発生している直流電力ケーブル１の配置場所等の出力情報が送信される。このため端末器１１により管理者等は、どの場所またはどの区間の直流電力ケーブル１に異常があるかを知ることができる。これによって、管理者等は、すみやかにその後の対応処置（例えば夜間におけるケーブル１の交換等）をとることができ、直流電力ケーブル１の地絡事故を阻止し、鉄道車両を安定して走行させることができる。
【００２７】
さらに、電圧検出器１３にて異常発生を検出する際の基準となる設定レベルを複数設定することができるので、複数段階で劣化を検知することができる。例えば低レベルでは警報を発することにより、劣化があまり進んでいない早期の状態において、このままの状態を継続すれば劣化が進行して絶縁破壊を招くおそれがあることを検知することができる。すなわち、直流電力ケーブル１の絶縁劣化の予兆を早期に検知して、地絡事故を未然に阻止することができる。また、高レベルでは、静電シールド４の急激な電位上昇を検知して、直流電力ケーブル１への電力供給を停止することにより、直流電力ケーブル１の焼損や設備の損傷等の復旧に多大な労力とコストがかかる重大な故障及び波及事故を防止することができる。このように、判別回路１４での設定電圧レベルを複数設定し、複数段階で劣化を検知することにより、故障や事故を確実に防止することができる。さらに、抵抗部１２によって静電シールド４に流れる故障電流が抑制され、これによっても直流電力ケーブル１の焼損を防止できる効果がある。
【００２８】
したがって、上記直流電力ケーブル異常検出装置では、直流電力ケーブル１を常時監視して、直流電力ケーブル１の劣化または劣化の予兆を容易に早期に知ることができ、また、異常のある直流電力ケーブル１の設置場所や区間を特定することも可能で、対応処置をすみやかにとることができる。このため、故障を未然に阻止でき、労力及びコストを大幅に低減できる。また、この装置を使用することにより、直流電力ケーブルとして静電シールド４を有する汎用の交流用高圧ケーブル（６６００Ｖ等）を用いることができ、ケーブル敷設の際のコスト低減にも寄与することができる。
【００２９】
次に図３は他の実施形態の異常検出手段６を示している。この場合の異常検出手段６は、上記図２に示す異常検出手段６と相違して、コンデンサ部１７を使用している。このコンデンサ部１７は、第１コンデンサＣ１と第２コンデンサＣ２とを直列に接続することによって構成し、その一端（第１コンデンサＣ１の一端）を直流電力ケーブル１の静電シールド４に接続し、その他端（第２コンデンサＣ２の他端）を接地している。そして、第２コンデンサＣ２の端子電圧を電圧検出器１３にて検出するものである。
【００３０】
この場合も、異常検出手段６は、判別回路１４と出力回路１５とからなる信号出力部１６等を備え、判別回路１４にて、予め設定された電圧レベル（設定電圧レベル）と電圧検出器１３にて検出された電圧とを比較して、この検出した電圧が設定電圧レベル以上となったときに、異常であると判断して異常信号を出力回路１５に出力する。また、この判別回路１４においても設定電圧レベルを複数設定することができる。なお、この実施形態の他の構成は上記図１で示した異常検出装置と同様である。このため、この実施形態の装置であっても、直流電力ケーブル１の焼損や設備の損傷等の故障を防止することができる等の図１で示した異常検出装置と同様の作用効果を発揮する。
【００３１】
また、図４は別の実施形態の異常検出手段６を示している。この場合の異常検出手段６は、抵抗Ｒ３からなる抵抗部１８を備え、この抵抗部１８の抵抗Ｒ３の一端を直流電力ケーブル１の静電シールド４に接続し、その他端を接地し、ホールＣＴ等のＣＴ（カレントトランスフォーマー）を介してこの抵抗Ｒ３を流れる接地電流を電流検出器１９にて検出するようにしている。この場合も、判別回路１４と出力回路１５とからなる信号出力部１６等を備えるものであって、判別回路１４にて、予め設定された電流レベル（設定電流レベル）と電流検出器１９にて検出された電流とを比較して、この検出した電流が設定電流レベル以上となったときに、異常であると判断して異常信号を出力回路１５に出力する。また、この判別回路１４においても設定電流レベルを複数設定することができる。なお、この実施形態の他の構成は上記図１で示した異常検出装置と同様である。このため、この実施形態の装置であっても、直流電力ケーブル１の焼損や設備の損傷等の故障を防止することができる等の図１又は図３で示した異常検出装置と同様の作用効果を発揮する。
【００３２】
以上にこの発明の直流電力ケーブル異常検出装置の具体的な実施の形態について説明したが、この発明は上記実施の形態に限定されるものではなく、この発明の範囲内で種々変更して実施することが可能である。例えば、直流電気鉄道のき電ケーブル以外の直流電力ケーブルの異常検出に適用可能である。また、図２及び図３に示す判別回路１４における設定電圧レベルや、図４に示す判別回路１４における設定電流レベルとして、上記実施形態のように、複数レベルを設定するのが好ましいが、一レベルのみの設定であってもよい。また、設定レベルは任意に変えることができる。また、電圧検出器１３は、抵抗部１２またはコンデンサ部１７に生じる電圧の単位時間あたりの電圧増加分を出力し、判別回路１４は、電圧増加分が設定レベル以上のとき異常信号を出力するようにしてもよい。同様に、電流検出器１９は、抵抗Ｒ３を流れる電流の単位時間あたりの電流増加分を出力し、判別回路１４は、電流増加分が設定レベル以上のとき異常信号を出力するようにしてもよい。さらに、図２に示す異常検出手段６における抵抗部１２の各抵抗Ｒ１、Ｒ２の抵抗値としては、この抵抗部１２の全体の抵抗値が絶縁被覆３の抵抗値に対して極めて小（例えば１０ｋΩ〜１００ｋΩ）となるものであれば、任意に設定することができ、第１抵抗Ｒ１の抵抗値と第２抵抗Ｒ２の抵抗値が同じであっても、相違するものであってもよい。また、抵抗器の数の増減も可能であり、抵抗器の種類としても種々選択できる。また、図３に示す異常検出手段６におけるコンデンサ部１７の第１コンデンサＣ１及びコンデンサＣ２の容量も任意に変更でき、コンデンサ部１７のコンデンサの数の増減も可能であり、コンデンサ部１７のコンデンサの種類としても種々選択できる。さらに、図４に示す異常検出手段６における抵抗部１８の抵抗値も任意に変更することができ、抵抗部１８の抵抗器の増加も可能である。また、異常検出手段６として、抵抗とコンデンサを並列接続した構成を、導体部４と接地との間に接続し両端の電圧を検出するようにしてもよい。
【図面の簡単な説明】
【００３３】
【図１】この発明の直流電力ケーブル異常検出装置の実施形態を示す構成図である。
【図２】上記直流電力ケーブル異常検出装置の異常検出手段を示す回路図である。
【図３】この発明の直流電力ケーブル異常検出装置の他の実施形態の異常検出手段を示す回路図である。
【図４】この発明の直流電力ケーブル異常検出装置の別の実施形態の異常検出手段を示す回路図である。
【符号の説明】
【００３４】
１・・直流電力ケーブル、２・・電線、３・・絶縁被覆、４・・導体部、７・・警報手段、８・・遮断指示手段、１０・・通信手段、１１・・端末器、１２・・抵抗部、１３・・電圧検出器、１６・・信号出力部、１７・・コンデンサ部、１８・・抵抗部、１９・・電流検出器
【図１】
2006256348.tif 000003
【図２】
2006256348.tif 000004
【図３】
2006256348.tif 000005
【図４】
2006256348.tif 000006